(57)【特許請求の範囲】
【請求項１】
複数のメディアデータを格納するメディアデータ格納部と、
上記複数のメディアデータ間の依存関係を示す依存関係情報を入力する依存関係情報編集手段と、
上記メディアデータ格納部に格納されているメディアデータをデジタルコンテンツとして表示する際の上記メディアデータの表示時刻を示す時刻同期情報を入力する時刻同期情報編集手段と、
上記メディアデータ格納部に格納されているメディアデータを識別するメディア情報、上記依存関係情報編集手段からの依存関係情報、及び上記時刻同期情報編集手段からの時刻同期情報に基づき、メディアデータの属性情報を示す構成要素オブジェクトを生成する構成要素オブジェクト設定手段と、
上記構成要素オブジェクト設定手段により生成された構成要素オブジェクトを格納する構成要素オブジェクト格納部と、
上記メディアデータ格納部に格納されているメディアデータと上記構成要素オブジェクト格納部に格納されている構成要素オブジェクトに基づきデジタルコンテンツを構築するデジタルコンテンツ構築手段と、
を備えたオーサリング装置。
【請求項２】
複数のメディアデータを格納するメディアデータ格納部と、
上記複数のメディアデータ間の依存関係を示す依存関係情報を入力する依存関係情報編集手段と、
上記メディアデータ格納部に格納されているメディアデータをデジタルコンテンツとして表示する際の上記メディアデータの表示方式と表示エリアを示すプレゼンテーション情報を入力するプレゼンテーション情報編集手段と、
上記メディアデータ格納部に格納されているメディアデータを識別するメディア情報、上記依存関係情報編集手段からの依存関係情報、及び上記プレゼンテーション情報編集手段からのプレゼンテーション情報に基づき、メディアデータの属性情報を示す構成要素オブジェクトを生成する構成要素オブジェクト設定手段と、
上記構成要素オブジェクト設定手段により生成された構成要素オブジェクトを格納する構成要素オブジェクト格納部と、
上記メディアデータ格納部に格納されているメディアデータと上記構成要素オブジェクト格納部に格納されている構成要素オブジェクトに基づきデジタルコンテンツを構築するデジタルコンテンツ構築手段と、
を備えたオーサリング装置。
【請求項３】
上記依存関係情報編集手段は、上記構成要素オブジェクト格納部に格納された設定済みの構成要素オブジェクトに含まれる依存関係情報を編集し、
上記時刻同期情報編集手段は、上記構成要素オブジェクト格納部に格納された設定済みの構成要素オブジェクトに含まれる時刻同期情報を編集することを特徴とする請求項１記載のオーサリング装置。
【請求項４】
上記依存関係情報編集手段は、上記構成要素オブジェクト格納部に格納された設定済みの構成要素オブジェクトに含まれる依存関係情報を編集し、
上記プレゼンテーション情報編集手段は、上記構成要素オブジェクト格納部に格納された設定済みの構成要素オブジェクトに含まれるプレゼンテーション情報を編集することを特徴とする請求項２記載のオーサリング装置。
【発明の詳細な説明】
【技術分野】
【０００１】
この発明は、例えばデジタルコンテンツを再構築・再編集するオーサリング装置に関するものである。
【背景技術】
【０００２】
教材やマニュアルなどのデジタルコンテンツは、ユーザによって利用目的や必要とする情報が異なるため、ユーザ毎の利用目的に応じて再構築・再編集されている。
一方、近年のデジタルコンテンツは、ユーザの理解を高めるために、時間情報を含むリアルタイムメディア（映像や音声など）や、関連する付加情報メディア（テキストや静止画など）を使用し、多数の構成要素（メディアデータ）で構成した複雑なデジタルコンテンツが多くなってきている。このような複雑な構成要素のデジタルコンテンツでは、デジタルコンテンツの構築・編集を行う際に、構成要素の属性情報（メディアデータ間の依存関係など）設定を行う必要がある。
【０００３】
例えば、特許文献１には、複数の構成要素間のリンク関係情報（依存関係情報）を管理し、自動的に複数の構成要素間のリンク付けを行う構成が開示されている。特許文献１によれば、リンク関係情報（リンク元、リンク先、相互間の関連度）を規定したリンクオブジェクトを生成し、起点となるメディアデータをリンク元として保持するリンクオブジェクトから、リンク先のメディアを辿っていくことでリンクを自動生成する。この構成において、デジタルコンテンツを構築・編集する際には、構成要素毎に、ユーザが手作業でデジタルコンテンツの各構成要素の表示時刻、表示時間などの時刻同期情報の設定や、各構成要素の表示方法、表示エリアなどのプレゼンテーション情報の設定を行う。
【０００４】
また、特許文献２には、各構成要素の表示開始時間、再生終了時間などをデジタルコンテンツの再生シナリオとして設定して管理する構成が開示されている。この構成において、デジタルコンテンツを再構築・再編集する際には、ユーザが再生シナリオを読み出して再生シナリオ毎に構成要素を組み換え、手作業でデジタルコンテンツの各構成要素の表示時刻、表示時間などの時刻同期情報の設定や、各構成要素の表示方法、表示エリアなどのプレゼンテーション情報の設定を行う。
【０００５】
さらに、特許文献３には、構成要素のデータ種類と編集構造をデジタルコンテンツの出力形式として設定して管理する構成が開示されている。この構成において、デジタルコンテンツを再構築・再編集する際には、ユーザが出力形式を読み出して出力形式毎に構成要素を組み換え、手作業でデジタルコンテンツの各構成要素の表示時刻、表示時間などの時刻同期情報の設定や、各構成要素の表示方法、表示エリアなどのプレゼンテーション情報の設定を行う。
【先行技術文献】
【特許文献】
【０００６】
【特許文献１】特開平０９−１４６９１８号公報
【特許文献２】特開平０５−１０８７８５号公報
【特許文献３】特開２０００−１０５７２１号公報
【発明の概要】
【発明が解決しようとする課題】
【０００７】
しかしながら、特許文献１〜３は、デジタルコンテンツを再構築・再編集する際に、ユーザが手作業で各構成要素を呼び出して時刻同期情報とプレゼンテーション情報の設定を行わなければならず、デジタルコンテンツを再構築・再編集する際に作業負荷及び作業コストが増大するという課題があった。
【０００８】
この発明は、上述した課題を解決するためになされたもので、デジタルコンテンツを再構築・再編集する際に作業負荷及び作業コストを低減するオーサリング装置を提供することを目的とする。
【課題を解決するための手段】
【０００９】
この発明に係るオーサリング装置は、複数のメディアデータを格納するメディアデータ格納部と、複数のメディアデータ間の依存関係を示す依存関係情報を入力する依存関係情報編集手段と、メディアデータ格納部に格納されているメディアデータをデジタルコンテンツとして表示する際のメディアデータの表示時刻を示す時刻同期情報を入力する時刻同期情報編集手段と、メディアデータ格納部に格納されているメディアデータを識別するメディア情報、依存関係情報編集手段からの依存関係情報、及び表示条件編集手段からの表示条件に基づき、メディアデータの属性情報を示す構成要素オブジェクトを生成する構成要素オブジェクト設定手段と、構成要素オブジェクト設定手段により生成された構成要素オブジェクトを格納する構成要素オブジェクト格納部と、メディアデータ格納部に格納されているメディアデータと構成要素オブジェクト格納部に格納されている構成要素オブジェクトに基づきデジタルコンテンツを構築するデジタルコンテンツ構築手段とを備えたものである。
【００１０】
また、この発明に係るオーサリング装置は、複数のメディアデータを格納するメディアデータ格納部と、複数のメディアデータ間の依存関係を示す依存関係情報を入力する依存関係情報編集手段と、メディアデータ格納部に格納されているメディアデータをデジタルコンテンツとして表示する際のメディアデータの表示方式と表示エリアを示すプレゼンテーション情報を入力するプレゼンテーション情報編集手段と、メディアデータ格納部に格納されているメディアデータを識別するメディア情報、依存関係情報編集手段からの依存関係情報、及び表示条件編集手段からの表示条件に基づき、メディアデータの属性情報を示す構成要素オブジェクトを生成する構成要素オブジェクト設定手段と、構成要素オブジェクト設定手段により生成された構成要素オブジェクトを格納する構成要素オブジェクト格納部と、メディアデータ格納部に格納されているメディアデータと構成要素オブジェクト格納部に格納されている構成要素オブジェクトに基づきデジタルコンテンツを構築するデジタルコンテンツ構築手段とを備えたものである。
【発明の効果】
【００１１】
この発明によるオーサリング装置は、デジタルコンテンツを構成する複数のメディアデータ毎に、デジタルコンテンツとして表示するための属性情報を記載した構成要素オブジェクトを生成、設定して格納するよう構成したので、デジタルコンテンツの再構築・再編集を行う際に、ユーザが手作業で時刻同期情報とプレゼンテーション情報の設定を行うことなく、構成要素オブジェクトを呼び出すだけでデジタルコンテンツの再構築・再編集を行うことができる。その結果、デジタルコンテンツを再構築・再編集する際に作業負荷及び作業コストを低減することができる。
【図面の簡単な説明】
【００１２】
【図１】この発明の実施の形態１に係るオーサリング装置の機能的な構成を示すブロック図である。
【図２】この発明の実施の形態１に係るオーサリング装置における構成要素オブジェクトの構成の一例を示す図である。
【図３】この発明の実施の形態１に係るオーサリング装置における構成要素オブジェクトの生成方法を示すフローチャートである。
【図４】この発明の実施の形態１に係るオーサリング装置における構成要素オブジェクトの編集方法を示すフローチャートである。
【図５】この発明の実施の形態１に係るオーサリング装置におけるデジタルコンテンツの構築方法を示すフローチャートである。
【図６】この発明の実施の形態１に係るオーサリング装置における構成要素オブジェクト生成方法の一例を示す図である。
【図７】この発明の実施の形態１に係るオーサリング装置における構成要素オブジェクト生成方法の一例を示す図である。
【図８】この発明の実施の形態１に係るオーサリング装置における構成要素オブジェクト編集方法の一例を示す図である。
【図９】この発明の実施の形態１に係るオーサリング装置における構成要素オブジェクト編集方法の一例を示す図である。
【発明を実施するための形態】
【００１３】
以下、この発明の実施の形態を、図面を参照しながら詳細に説明する。
実施の形態１．
図１は、オーサリング装置１００の機能的な構成を示している。
オーサリング装置１００は、図１に示すように、メディアデータ格納部１０１、メディアデータ呼出手段１０２、構成要素オブジェクト設定手段１０３、依存関係情報編集手段１０４、時刻同期情報編集手段１０５ａ、プレゼンテーション情報編集手段１０５ｂ、構成要素オブジェクト格納部１０７、構成要素オブジェクト呼出手段１０８、デジタルコンテンツ構築手段１０９、表示手段１１０を備えている。
【００１４】
メディアデータ格納部１０１は、複数のメディアデータを格納しており、例えば図示しない記憶装置内のフォルダやデータベースで構成される。メディアデータは、例えば、時間情報を含むリアルタイムメディア（映像や音声など）、関連する付加情報メディア（テキストや静止画など）である。
【００１５】
メディアデータ呼出手段１０２は、メディアデータ格納部１０１から指定されたメディアデータを呼び出すよう機能する。メディアデータ呼出手段１０２は、例えば、ユーザ（外部）からメディアデータが指定されると、メディアデータ格納部１０１からメディアデータを呼び出して構成要素オブジェクト設定手段１０３へ出力する。また、メディアデータ呼出手段１０２は、デジタルコンテンツ構築手段１０９からの要求に従って、指定されたメディアデータをメディアデータ格納部１０１から呼び出し、呼び出したメディアデータをデジタルコンテンツ構築手段１０９へ出力する。
【００１６】
構成要素オブジェクト設定手段１０３は、入力したメディアデータ（構成要素）の属性情報を示す構成要素オブジェクトを入力、編集して設定するよう機能する。
構成要素オブジェクトは、デジタルコンテンツを構成する各メディアデータ（構成要素）の属性情報を示しており、属性情報にはメディアデータをデジタルコンテンツとして表示するための情報としてメディア情報、依存関係情報、時刻同期情報、プレゼンテーション情報を記載している。構成要素オブジェクトの詳細については後述する。
【００１７】
構成要素オブジェクト設定手段１０３は、例えば、メディアデータ格納部１０１からメディアデータ呼出手段１０２を介してメディアデータを入力すると、メディアデータに基づいてメディア情報を設定し、依存関係情報編集手段１０４を介して入力した情報に基づいて依存関係情報を設定し、時刻同期情報編集手段１０５ａを介して入力した情報に基づいて時刻同期情報を設定し、プレゼンテーション情報編集手段１０５ｂを介して入力した情報に基づいてプレゼンテーション情報を設定する。このように、構成要素オブジェクト設定手段１０３は、メディアデータの属性情報を設定して構成要素オブジェクトを生成する。
【００１８】
また、構成要素オブジェクト設定手段１０３は、構成要素オブジェクト格納部１０７から構成要素オブジェクト呼出手段１０８を介して、設定済みの構成要素オブジェクトを入力し、依存関係情報編集手段１０４を介して編集入力されると依存関係情報を変更して設定し、時刻同期情報編集手段１０５ａを介して編集入力されると時刻同期情報を変更して設定し、プレゼンテーション情報編集手段１０５ｂを介して編集入力されるとプレゼンテーション情報を変更して設定する。このように、構成要素オブジェクト設定手段１０３は、メディアデータの属性情報を変更設定して構成要素オブジェクトを編集する。
【００１９】
依存関係情報編集手段１０４は、構成要素オブジェクトに含まれる依存関係情報を入力、編集するよう機能する。
【００２０】
依存関係情報編集手段１０４は、例えば、構成要素オブジェクト設定手段１０３においてメディア情報が設定されるとユーザ（外部）に対して依存関係情報の入力を要求し、ユーザから依存関係情報が入力されると構成要素オブジェクト設定手段１０３へ出力する。
また、依存関係情報編集手段１０４は、例えば、構成要素オブジェクト格納部１０７に格納された構成要素オブジェクトに含まれる設定済みの依存関係情報を読み出し、ユーザから編集入力されると、今まで設定されていた依存関係情報以外の依存関係情報に変更して構成要素オブジェクト設定手段１０３へ出力する。
【００２１】
時刻同期情報編集手段１０５ａとプレゼンテーション情報編集手段１０５ｂは、メディアデータをデジタルコンテンツとして表示する際の表示条件（時刻同期情報、プレゼンテーション情報）を入力、編集する表示条件編集手段１０５として機能する。
【００２２】
時刻同期情報編集手段１０５ａは、構成要素オブジェクトに含まれる時刻同期情報を入力、編集するよう機能する。
【００２３】
時刻同期情報編集手段１０５ａは、例えば、構成要素オブジェクト設定手段１０３においてメディア情報が設定されるとユーザ（外部）に対して時刻同期情報の入力を要求し、ユーザから時刻同期情報が入力されると構成要素オブジェクト設定手段１０３へ出力する。また、時刻同期情報編集手段１０５ａは、例えば、構成要素オブジェクト格納部１０７に格納された設定済みの構成要素オブジェクトに含まれる時刻同期情報を読み出し、ユーザから編集入力されると、今まで設定されていた時刻同期情報以外の時刻同期情報に変更して構成要素オブジェクト設定手段１０３へ出力する。なお、時刻同期情報編集手段１０５ａは、ユーザからの情報入力が省略された場合、予め設定された所定値を入力するように構成しても良い。
【００２４】
プレゼンテーション情報編集手段１０５ｂは、構成要素オブジェクトに含まれるプレゼンテーション情報を入力、編集するよう機能する。
【００２５】
プレゼンテーション情報編集手段１０５ｂは、例えば、構成要素オブジェクト設定手段１０３においてメディア情報が設定されるとユーザ（外部）に対してプレゼンテーション情報の入力を要求し、ユーザからプレゼンテーション情報が入力されると構成要素オブジェクト設定手段１０３へ出力する。また、プレゼンテーション情報編集手段１０５は、例えば、構成要素オブジェクト格納部１０７に格納された設定済みの構成要素オブジェクトに含まれるプレゼンテーション情報を読み出し、ユーザから編集入力されると、今まで設定されていたプレゼンテーション情報以外のプレゼンテーション情報に変更して構成要素オブジェクト設定手段１０３へ出力する。なお、プレゼンテーション情報編集手段１０５ｂは、ユーザからの情報入力が省略された場合、予め設定された所定値を入力するよう構成しても良い。
【００２６】
構成要素オブジェクト格納部１０７は、構成要素オブジェクト設定手段１０３で設定された構成要素オブジェクトを格納するよう機能する。
【００２７】
構成要素オブジェクト呼出手段１０８は、構成要素オブジェクト格納部１０７に格納している構成要素オブジェクトを呼び出すよう機能する。構成要素オブジェクト呼出手段１０８は、構成要素オブジェクトを編集する際に、例えば、ユーザ（外部）から構成要素オブジェクトが指定されると、構成要素オブジェクト格納部１０７から構成要素オブジェクトを呼び出して構成要素オブジェクト設定手段１０３へ出力する。また、構成要素オブジェクト呼出手段１０８は、デジタルコンテンツを作成する際に、例えば、ユーザから構成要素オブジェクトが指定されると、構成要素オブジェクト格納部１０７から構成要素オブジェクトを呼び出してデジタルコンテンツ構築手段１０９へ出力する。
【００２８】
デジタルコンテンツ構築手段１０９は、構成要素オブジェクトに基づき複数のメディアデータでデジタルコンテンツを構築するよう機能する。デジタルコンテンツ構築手段１０９は、例えば、構成要素オブジェクト呼出手段１０８を介して構成要素オブジェクトを入力すると、構成要素オブジェクトに基づきメディアデータ呼出手段１０２を介してメディアデータを取得すると共に、複数のメディアデータを変換、重畳、組み合わせてデジタルコンテンツを構築し、出力する。
【００２９】
表示手段１１０は、入力した映像、画像を表示するよう機能し、例えば、デジタルコンテンツ構築手段１０９からのデジタルコンテンツを表示する。また、表示手段１１０は、構成要素オブジェクト設定手段１０３から入力した構成要素オブジェクトを編集可能に表示する。さらに、表示手段１１０は、メディアデータ格納部１０１に格納されているメディアデータ、又は構成要素オブジェクト格納部１０７に格納されている構成要素オブジェクトを指定可能に表示する。
【００３０】
ここで、構成要素オブジェクトについて説明する。図２は、オーサリング装置１００における構成要素オブジェクト２００の構成の一例を示している。
構成要素オブジェクト２００は、デジタルコンテンツの構成要素をメディアデータ単位で格納・管理するための属性情報（メディア情報、依存関係情報、時刻同期情報、プレゼンテーション情報）が記載されており、メディアデータ毎に対応させて作成される。
【００３１】
構成要素オブジェクト２００は、図２に示すように、メディア情報２０１、依存関係情報２０２、時刻同期情報２０３、プレゼンテーション情報２０４で構成されている。
メディア情報２０１は、メディアデータのファイル名とメディアデータの種類を示しており、メディアデータを識別するためにメディアデータに予め付与されている情報である。
【００３２】
依存関係情報２０２は、デジタルコンテンツを構成する複数のメディアデータ（構成要素）間の依存関係を示す情報であり、例えば、メディアデータ格納部１０１に格納されている他のメディアデータに対する依存関係として、親メディアのファイル名、子メディアのファイル名を記載したものである。なお、依存関係において、親メディアは子メディアを複数有するように構成してもよい。
【００３３】
時刻同期情報２０３とプレゼンテーション情報２０４は、メディアデータをデジタルコンテンツとして表示するための表示条件である。時刻同期情報２０３は、メディアデータの表示時刻と表示時間が記載されており、例えば、表示時間は表示を開始してから表示を維持する時間を示しており、表示時刻は親メディアの表示時間に対する表示開始時刻を示している。
【００３４】
プレゼンテーション情報２０４は、メディアデータの表示方式と表示エリアを記載している。表示方式は、メディアデータの表示動作を示しており、例えばデジタルコンテンツの表示時にメディアデータを一時停止状態にする方式や、メディアデータを点滅表示させる方式である。表示エリアは、デジタルコンテンツの表示においてメディアデータを表示する位置を示している。
【００３５】
ここで、オーサリング装置１００の処理動作について、構成要素オブジェクト生成方法、構成要素オブジェクト編集方法、デジタルコンテンツ構築方法を説明する。
【００３６】
構成要素オブジェクト生成方法は、各メディアデータの構成要素オブジェクトを生成する方法である。図３は、オーサリング装置１００における構成要素オブジェクトの生成方法を示している。オーサリング装置１００は、例えば、ユーザ（外部）からの要求にしたがって処理を開始し、メディアデータ呼出手段１０２がメディアデータ格納部１０１に格納されているメディアデータを指定するための指定用画面を表示手段１１０へ出力する（スタート）。
【００３７】
メディアデータ呼出手段１０２は、ユーザからメディアデータが指定されると（ステップＳＴ１０１）、メディアデータ格納部１０１からメディアデータを呼び出して取得し、構成要素オブジェクト設定手段１０３へ出力する（ステップＳＴ１０２）。
【００３８】
構成要素オブジェクト設定手段１０３は、メディアデータ呼出手段１０２からメディアデータを入力すると、メディアデータに付与されているファイル名とメディアの種類を取得して、構成要素オブジェクトに含まれるメディア情報を設定する（ステップＳＴ１０３）。
【００３９】
依存関係情報編集手段１０４は、構成要素オブジェクト設定手段１０３においてメディア情報が設定されると、依存関係情報の入力画面を生成して表示手段１１０を介して表示する。依存関係情報編集手段１０４は、ユーザ（外部）から依存関係情報を入力すると、入力した依存関係情報を構成要素オブジェクト設定手段１０３へ出力する（ステップＳＴ１０４）。
【００４０】
構成要素オブジェクト設定手段１０３は、依存関係情報編集手段１０４を介して依存関係情報を入力すると（ステップＳＴ１０５）、構成要素オブジェクトに依存関係情報を設定する（ステップＳＴ１０６）。
【００４１】
時刻同期情報編集手段１０５ａは、構成要素オブジェクト設定手段１０３において依存関係情報が設定されると、時刻同期情報の入力画面を生成して表示手段１１０を介して表示する（ステップＳＴ１０７）。時刻同期情報編集手段１０５ａは、ユーザ（外部）から時刻同期情報を入力すると、入力した時刻同期情報を構成要素オブジェクト設定手段１０３へ出力する。
【００４２】
構成要素オブジェクト設定手段１０３は、時刻同期情報編集手段１０５ａを介して時刻同期情報を入力すると（ステップＳＴ１０８）、構成要素オブジェクトに時刻同期情報を設定する（ステップＳＴ１０９）。
【００４３】
プレゼンテーション情報編集手段１０５ｂは、構成要素オブジェクト設定手段１０３において依存関係情報が設定されると、プレゼンテーション情報の入力画面を生成して表示手段１１０を介して表示する（ステップＳＴ１１０）。プレゼンテーション情報編集手段１０５ｂは、ユーザ（外部）からプレゼンテーション情報を入力すると、入力したプレゼンテーション情報を構成要素オブジェクト設定手段１０３へ出力する。
【００４４】
構成要素オブジェクト設定手段１０３は、プレゼンテーション情報編集手段１０５ｂを介してプレゼンテーション情報を入力すると（ステップＳＴ１１１）、構成要素オブジェクトにプレゼンテーション情報を設定する（ステップＳＴ１１２）。
【００４５】
ステップＳＴ１０９またはステップＳＴ１１２の処理後、ユーザから設定終了指示が無い場合（ステップＳＴ１１３“ＮＯ”）、ステップＳＴ１０７とステップＳＴ１１０からの処理を繰り返す。
【００４６】
構成要素オブジェクト設定手段１０３は、ユーザから設定終了指示を入力すると（ステップＳＴ１１３“ＹＥＳ”）、設定終了指示に従って依存関係情報、時刻同期情報、プレゼンテーション情報の設定を終了し、生成した構成要素オブジェクトを構成要素オブジェクト格納部１０７へ格納する（ステップＳＴ１１４）。構成要素オブジェクト格納部１０７が入力した構成要素オブジェクトを格納すると、オーサリング装置１００は構成要素オブジェクトの作成、設定処理を終了する（エンド）。
【００４７】
次に、構成要素オブジェクト編集方法について説明する。構成要素オブジェクト編集方法は、上述した構成要素オブジェクト作成方法により作成、格納した構成要素オブジェクトを呼び出して編集する方法である。
【００４８】
図４は、オーサリング装置１００における構成要素オブジェクトの編集方法を示している。オーサリング装置１００は、例えば、ユーザ（外部）からの要求にしたがって処理を開始し、構成要素オブジェクト格納部１０７に格納されている構成要素オブジェクトを指定するための指定用画面が構成要素オブジェクト呼出手段１０８から表示手段１１０へ出力される（スタート）。
【００４９】
構成要素オブジェクト呼出手段１０８は、ユーザから構成要素オブジェクトが指定されると（ステップＳＴ２０１）、構成要素オブジェクト格納部１０７から構成要素オブジェクトを呼び出して取得し、構成要素オブジェクト設定手段１０３へ出力する（ステップＳＴ２０２）。
【００５０】
構成要素オブジェクト設定手段１０３は、構成要素オブジェクト格納部１０７から構成要素オブジェクト呼出手段１０８を介して構成要素オブジェクトを入力すると、設定済みの依存関係情報、時刻同期情報、プレゼンテーション情報を表示手段１１０を介して選択可能に表示する。
【００５１】
依存関係情報編集手段１０４は、ユーザから構成要素オブジェクト設定手段１０３を介して依存関係情報が選択されると（ステップＳＴ２０３）、設定済みの依存関係情報の編集画面を表示手段１１０を介して表示する（ステップＳＴ２０４）。
【００５２】
構成要素オブジェクト設定手段１０３は、ユーザから依存関係情報編集手段１０４を介して、今まで設定されている依存関係情報以外の依存関係情報を入力すると（ステップＳＴ２０５）、構成要素オブジェクトに含まれる依存関係情報を変更して設定する（ステップＳＴ２０６）。
【００５３】
時刻同期情報編集手段１０５ａは、ユーザから構成要素オブジェクト設定手段１０３を介して時刻同期情報が選択されると（ステップＳＴ２０３）、設定済みの時刻同期情報の編集画面を表示手段１１０を介して表示する（ステップＳＴ２０７）。
【００５４】
構成要素オブジェクト設定手段１０３は、ユーザから時刻同期情報編集手段１０５ａを介して、今まで設定されている時刻同期情報以外の時刻同期情報を入力すると（ステップＳＴ２０８）、構成要素オブジェクトに含まれる時刻同期情報を変更して設定する（ステップＳＴ２０９）。
【００５５】
プレゼンテーション情報編集手段１０５ｂは、ユーザから構成要素オブジェクト設定手段１０３を介してプレゼンテーション情報が選択されると（ステップＳＴ２０３）、設定済みのプレゼンテーション情報の編集画面を表示手段１１０を介して表示する（ステップＳＴ２１０）。
【００５６】
構成要素オブジェクト設定手段１０３は、ユーザからプレゼンテーション情報編集手段１０５ｂを介して、今まで設定されているプレゼンテーション情報以外のプレゼンテーション情報を入力すると（ステップＳＴ２１１）、構成要素オブジェクトに含まれるプレゼンテーション情報を変更して設定する（ステップＳＴ２１２）。
【００５７】
上述したステップＳＴ２０６、ステップＳＴ２０９、ステップＳＴ２１２の処理後、ユーザから設定終了指示が無い場合（ステップＳＴ２１３ “ＮＯ”）、ステップＳＴ２０３からの処理を繰り返す。
【００５８】
上述したステップＳＴ２０６、ステップＳＴ２０９、ステップＳＴ２１２の処理後、構成要素オブジェクト設定手段１０３は、ユーザから設定終了指示を入力すると（ステップＳＴ２１３“ＹＥＳ”）、設定終了指示に従って依存関係情報、時刻同期情報、プレゼンテーション情報の編集設定を終了し、編集設定した構成要素オブジェクトを構成要素オブジェクト格納部１０７へ格納する（ステップＳＴ２１４）。構成要素オブジェクト格納部１０７が入力した構成要素オブジェクトを格納すると、オーサリング装置１００は構成要素オブジェクトの編集、設定処理を終了する（エンド）。
【００５９】
次に、デジタルコンテンツ構築方法について説明する。
デジタルコンテンツ構築方法は、構成要素オブジェクトに基づきメディアデータを変換して組み合わせてデジタルコンテンツを構築する方法である。
【００６０】
図５は、オーサリング装置１００におけるデジタルコンテンツの構築方法を示している。オーサリング装置１００は、例えば、ユーザ（外部）からの要求にしたがって処理を開始し、構成要素オブジェクト格納部１０７に格納されている構成要素オブジェクト２００を指定するための指定用画面が構成要素オブジェクト呼出手段１０８から表示手段１１０へ出力される（スタート）。
【００６１】
構成要素オブジェクト呼出手段１０８は、ユーザから構成要素オブジェクト２００が指定されると（ステップＳＴ３０１）、構成要素オブジェクト格納部１０７から構成要素オブジェクト２００を呼び出して取得し、デジタルコンテンツ構築手段１０９へ出力する（ステップＳＴ３０２）。
【００６２】
デジタルコンテンツ構築手段１０９は、構成要素オブジェクト呼出手段１０８を介して構成要素オブジェクト２００を入力すると、構成要素オブジェクト２００のメディア情報２０１に基づいてメディアデータ呼出手段１０２へメディアデータを要求し、メディアデータ格納部１０１からメディアデータ呼出手段１０２を介してメディアデータを入力する（ステップＳＴ３０３）。ここで、ユーザからデジタルコンテンツに使用するメディアデータを全て入力するまでステップＳＴ３０１からステップＳＴ３０３までの処理を繰り返す。このとき、ユーザの利用目的に合わせて構成要素オブジェクト２００を選択して呼び出すことで、ユーザの利用目的に応じたデジタルコンテンツを再構築・再設定することができる。
【００６３】
デジタルコンテンツ構築手段１０９は、メディアデータを入力すると、各メディアデータに対応する構成要素オブジェクト２００の依存関係情報２０２に基づいてメディアデータ間の依存関係を生成する。
【００６４】
デジタルコンテンツ構築手段１０９は、メディアデータ間の依存関係を生成すると、時間同期情報２０３に基づいてデジタルコンテンツのタイムラインを生成する。デジタルコンテンツのタイムラインは、例えば、各メディアデータを表示する時刻、表示する時間を一つの時間軸上に並べて、デジタルコンテンツにおける各メディアデータの表示時刻と表示時間を設定するものである。
【００６５】
デジタルコンテンツ構築手段１０９は、デジタルコンテンツのタイムラインを設定すると、プレゼンテーション情報２０４に基づいて指定された表示方式と表示エリアに合うようメディアデータを変換する（ステップＳＴ３０４）。
【００６６】
デジタルコンテンツ構築手段１０９は、変換したメディアデータをタイムラインに合わせて重畳又は組み合わせて出力することにより、デジタルコンテンツを構築して表示手段１１０へ出力する（ステップＳＴ３０５）。表示手段１１０は、デジタルコンテンツ構築手段１０９から入力したデジタルコンテンツを表示する（ステップＳＴ３０６）。
【００６７】
ここで、構成要素オブジェクト生成方法において、時刻同期情報を設定する一例について説明する。
図６は、オーサリング装置１００における構成要素オブジェクト３０６，３０７の生成方法の一例を示している。なお、図６において、オーサリング装置１００の構成は図１と同様であるため一部を省略して示し、同一の構成については図１と同一の符号で説明する。
【００６８】
メディアデータ格納部１０１は、図６に示すように、「映像１」３０３、「映像２」３０４、「テキスト１」３０５をメディアデータとして格納している。メディアデータ呼出手段１０２は、ユーザ（外部）から構成要素オブジェクト設定手段１０３を介して「映像１」３０３が指定されると（上述した図３のステップＳＴ１０１）、メディアデータ格納部１０１から「映像１」３０３を呼び出して取得し、構成要素オブジェクト設定手段１０３へ出力する（ステップＳＴ１０２）。
【００６９】
構成要素オブジェクト設定手段１０３は、メディアデータ呼出手段１０２から「映像１」３０３を入力すると、「映像１」３０３に付与されているファイル名「映像１」とメディアの種類「映像」を取得して、構成要素オブジェクト３０６に含まれるメディア情報を設定する（ステップＳＴ１０３）。
【００７０】
依存関係情報編集手段１０４は、構成要素オブジェクト設定手段１０３においてメディア情報が設定されると、依存関係情報の入力画面を生成して表示手段１１０を介して表示する。依存関係情報編集手段１０４は、ユーザ（外部）から親メディアが「なし」、子メディアが「テキスト１」である旨（依存関係情報）を入力すると、入力した依存関係情報を構成要素オブジェクト設定手段１０３へ出力する（ステップＳＴ１０４）。
【００７１】
構成要素オブジェクト設定手段１０３は、依存関係情報編集手段１０４を介して、親メディアが「なし」、子メディアが「テキスト１」である旨（依存関係情報）を入力すると（ステップＳＴ１０５）、構成要素オブジェクトに依存関係情報として「親：なし」、「子：テキスト１」を設定する（ステップＳＴ１０６）。なお、ここでは、「映像１」３０３が親メディアであるため時刻同期情報の入力を省略することができる。
【００７２】
構成要素オブジェクト設定手段１０３は、ユーザから設定終了指示を入力すると（ステップＳＴ１１３“ＹＥＳ”）、設定終了指示に従って「映像１」３０３に対応する構想要素オブジェクト３０６の設定を終了し、生成した構成要素オブジェクト３０６を構成要素オブジェクト格納部１０７へ格納する（ステップＳＴ１１４）。
【００７３】
メディアデータ呼出手段１０２は、続けて、ユーザから構成要素オブジェクト設定手段１０３を介して「テキスト１」３０５が指定されると（ステップＳＴ１０１）、メディアデータ格納部１０１から「テキスト１」３０５を呼び出して取得し、構成要素オブジェクト設定手段１０３へ出力する（ステップＳＴ１０２）。
【００７４】
構成要素オブジェクト設定手段１０３は、メディアデータ呼出手段１０２から「テキスト１」３０５を入力すると、「テキスト１」３０５に付与されているファイル名「テキスト１」とメディアの種類「テキスト」を取得して、構成要素オブジェクト３０７に含まれるメディア情報を設定する（ステップＳＴ１０３）。
【００７５】
依存関係情報編集手段１０４は、構成要素オブジェクト設定手段１０３においてメディア情報が設定されると、依存関係情報の入力画面を生成して表示手段１１０を介して表示する。依存関係情報編集手段１０４は、ユーザ（外部）から親メディアが「映像１」、子メディアが「なし」である旨（依存関係情報）を入力すると、入力した依存関係情報を構成要素オブジェクト設定手段１０３へ出力する（ステップＳＴ１０４）。
【００７６】
構成要素オブジェクト設定手段１０３は、依存関係情報編集手段１０４を介して、親メディアが「映像１」、子メディアが「なし」である旨を入力すると（ステップＳＴ１０５）、構成要素オブジェクト３０７に依存関係情報として「親：映像１」、「子：なし」を設定する（ステップＳＴ１０６）。
【００７７】
時刻同期情報編集手段１０５ａは、構成要素オブジェクト設定手段１０３において依存関係情報が設定されると、時刻同期情報の入力画面を生成して表示手段１１０を介して表示する（ステップＳＴ１０７）。時刻同期情報編集手段１０５ａは、ユーザ（外部）から表示時刻が「５秒」である旨（時刻同期情報）を入力すると、入力した時刻同期情報を構成要素オブジェクト設定手段１０３へ出力する。
【００７８】
構成要素オブジェクト設定手段１０３は、時刻同期情報編集手段１０５ａを介して、表示時刻が「５秒」である旨を入力すると（ステップＳＴ１０８）、構成要素オブジェクト３０７に時刻同期情報として「表示時刻：５秒」を設定する（ステップＳＴ１０９）。
【００７９】
構成要素オブジェクト設定手段１０３は、ユーザから設定終了指示を入力すると（ステップＳＴ１１３“ＹＥＳ”）、設定終了指示に従って依存関係情報、時刻同期情報の設定を終了し、生成した構成要素オブジェクト３０７を構成要素オブジェクト格納部１０７へ格納する（ステップＳＴ１１４）。
【００８０】
このようにして、構成要素オブジェクト３０６は、「映像１」３０３が「テキスト１」３０５を子メディアとする依存関係を有していることを設定しており、構成要素オブジェクト３０７は、「テキスト１」３０５が「映像１」３０３を親メディアとする依存関係を有し、図６のタイムラインに示すように「映像１」３０３の表示開始５秒経過後に表示することを設定している。
【００８１】
次に、構成要素オブジェクト生成方法において、プレゼンテーション情報を設定する一例について説明する。図７は、オーサリング装置１００における構成要素オブジェクト４０６，４０７の生成方法の一例を示しており、メディアデータをデジタルコンテンツの画面４０８内の「エリア１」４０９、「エリア２」４１０に指定して表示するプレゼンテーション情報を設定する場合について説明する。なお、図７において、オーサリング装置１００の構成は図１と同様であるため一部を省略して示し、同一の構成については図１と同一の符号で説明する。
【００８２】
メディアデータ格納部１０１は、図７に示すように、「映像１」３０３、「映像２」３０４、「テキスト１」３０５をメディアデータとして格納している。
【００８３】
メディアデータ呼出手段１０２は、ユーザ（外部）から構成要素オブジェクト設定手段１０３を介して「映像１」３０３が指定されると（上述した図３のステップＳＴ１０１）、メディアデータ格納部１０１から「映像１」３０３を呼び出して取得し、構成要素オブジェクト設定手段１０３へ出力する（ステップＳＴ１０２）。
【００８４】
構成要素オブジェクト設定手段１０３は、メディアデータ呼出手段１０２から「映像１」３０３を入力すると、「映像１」３０３に付与されているファイル名「映像１」とメディアの種類「映像」を取得して、構成要素オブジェクト４０６に含まれるメディア情報を設定する（ステップＳＴ１０３）。
【００８５】
依存関係情報編集手段１０４は、構成要素オブジェクト設定手段１０３においてメディア情報が設定されると、依存関係情報の入力画面を生成して表示手段１１０を介して表示する。依存関係情報編集手段１０４は、ユーザから親メディアが「なし」、子メディアが「テキスト１」である旨（依存関係情報）を入力すると、入力した依存関係情報を構成要素オブジェクト設定手段１０３へ出力する（ステップＳＴ１０４）。
【００８６】
構成要素オブジェクト設定手段１０３は、依存関係情報編集手段１０４を介して、親メディアが「なし」、子メディアが「テキスト１」である旨（依存関係情報）を入力すると（ステップＳＴ１０５）、構成要素オブジェクトに依存関係情報として「親：なし」、「子：テキスト１」を設定する（ステップＳＴ１０６）。なお、ここでは、「映像１」３０３が親メディアであるため時刻同期情報の入力を省略することができる。
【００８７】
プレゼンテーション情報編集手段１０５ｂは、構成要素オブジェクト設定手段１０３において依存関係情報が設定されると、プレゼンテーション情報の入力画面を生成して表示手段１１０を介して表示する（ステップＳＴ１１０）。プレゼンテーション情報編集手段１０５ｂは、ユーザから表示エリアがデジタルコンテンツ画面４０８上の「エリア１」４０９である旨（プレゼンテーション情報）を入力すると、入力したプレゼンテーション情報を構成要素オブジェクト設定手段１０３へ出力する。
【００８８】
構成要素オブジェクト設定手段１０３は、プレゼンテーション情報編集手段１０５ｂを介して、表示エリアが「エリア１」４０９である旨を入力すると（ステップＳＴ１１１）、構成要素オブジェクト４０６にプレゼンテーション情報として「表示エリア：エリア１」を設定する（ステップＳＴ１１２）。
【００８９】
構成要素オブジェクト設定手段１０３は、ユーザから設定終了指示を入力すると（ステップＳＴ１１３“ＹＥＳ”）、設定終了指示に従って「映像１」３０３に対応する構想要素オブジェクト４０６の設定を終了し、生成した構成要素オブジェクト４０６を構成要素オブジェクト格納部１０７へ格納する（ステップＳＴ１１４）。
【００９０】
メディアデータ呼出手段１０２は、続けて、ユーザから構成要素オブジェクト設定手段１０３を介して「テキスト１」３０５が指定されると（ステップＳＴ１０１）、メディアデータ格納部１０１から「テキスト１」３０５を呼び出して取得し、構成要素オブジェクト設定手段１０３へ出力する（ステップＳＴ１０２）。
【００９１】
構成要素オブジェクト設定手段１０３は、メディアデータ呼出手段１０２から「テキスト１」３０５を入力すると、「テキスト１」３０５に付与されているファイル名「テキスト１」とメディアの種類「テキスト」を取得して、構成要素オブジェクト４０７に含まれるメディア情報を設定する（ステップＳＴ１０３）。
【００９２】
依存関係情報編集手段１０４は、構成要素オブジェクト設定手段１０３においてメディア情報が設定されると、依存関係情報の入力画面を生成して表示手段１１０を介して表示する。依存関係情報編集手段１０４は、ユーザ（外部）から親メディアが「映像１」、子メディアが「なし」である旨（依存関係情報）を入力すると、入力した依存関係情報を構成要素オブジェクト設定手段１０３へ出力する（ステップＳＴ１０４）。
【００９３】
構成要素オブジェクト設定手段１０３は、依存関係情報編集手段１０４を介して、親メディアが「映像１」、子メディアが「なし」である旨を入力すると（ステップＳＴ１０５）、構成要素オブジェクトに依存関係情報として「親：映像１」、「子：なし」を設定する（ステップＳＴ１０６）。
【００９４】
プレゼンテーション情報編集手段１０５ｂは、構成要素オブジェクト設定手段１０３において依存関係情報が設定されると、プレゼンテーション情報の入力画面を生成して表示手段１１０を介して表示する（ステップＳＴ１１０）。プレゼンテーション情報編集手段１０５ｂは、ユーザから表示エリアがデジタルコンテンツ画面４０８上の「エリア２」４１０である旨（プレゼンテーション情報）を入力すると、入力したプレゼンテーション情報を構成要素オブジェクト設定手段１０３へ出力する。
【００９５】
構成要素オブジェクト設定手段１０３は、プレゼンテーション情報編集手段１０５ｂを介して、表示エリアが「エリア１」４１０である旨を入力すると（ステップＳＴ１１１）、構成要素オブジェクト４０７にプレゼンテーション情報として「表示エリア：エリア２」を設定する（ステップＳＴ１１２）。
【００９６】
構成要素オブジェクト設定手段１０３は、ユーザから設定終了指示を入力すると（ステップＳＴ１１３“ＹＥＳ”）、設定終了指示に従って依存関係情報、プレゼンテーション情報の設定を終了し、生成した構成要素オブジェクト４０７を構成要素オブジェクト格納部１０７へ格納する（ステップＳＴ１１４）。
【００９７】
このようにして、構成要素オブジェクト４０６により、「映像１」３０３が「テキスト１」３０５を子メディアとする依存関係を有し、「映像１」３０３をデジタルコンテンツ画面４０８上の「エリア１」４０９に表示することを設定している。また、構成要素オブジェクト４０７により、「テキスト１」３０５が「映像１」３０３を親メディアとする依存関係を有し、図７に示すように「テキスト１」３０５をデジタルコンテンツ画面４０８上の「エリア１」と異なる領域の「エリア２」４１０に表示することを設定している。
【００９８】
次に、構成要素オブジェクト編集方法において、設定済みの構成要素オブジェクトに新たな構成要素オブジェクトとの依存関係を設定して、デジタルコンテンツに新たなメディアデータを構成要素として追加する一例について説明する。
【００９９】
図８は、オーサリング装置１００における構成要素オブジェクト編集方法の一例を示している。なお、図８は、上述した図６で設定した構成要素オブジェクトを編集して「テキスト２」５０６を追加設定するものであり、図６と同一の構成については同一の符号を付して説明する。
【０１００】
メディアデータ格納部１０１は、図８に示すように、「映像１」３０３、「映像２」３０４、「テキスト１」３０５、「テキスト２」５０６をメディアデータとして格納している。
【０１０１】
上述したオーサリング装置１００は、ユーザ（外部）からの要求にしたがって構成要素オブジェクトの生成処理を開始し、メディアデータを指定するための指定用画面が表示手段１１０に表示される（上述した図３の“スタート”）。
【０１０２】
上述したメディアデータ呼出手段１０２は、ユーザから構成要素オブジェクト設定手段１０３を介して「テキスト２」５０６が指定されると（ステップＳＴ１０１）、メディアデータ格納部１０１から「テキスト２」５０６を呼び出して取得し、構成要素オブジェクト設定手段１０３へ出力する（ステップＳＴ１０２）。
【０１０３】
上述した構成要素オブジェクト設定手段１０３は、メディアデータ呼出手段１０２から「テキスト２」５０６を入力すると、「テキスト２」５０６に付与されているファイル名「テキスト２」とメディアの種類「テキスト」を取得して、構成要素オブジェクト５０９に含まれるメディア情報を設定する（ステップＳＴ１０３）。
【０１０４】
上述した依存関係情報編集手段１０４は、構成要素オブジェクト設定手段１０３においてメディア情報が設定されると、依存関係情報の入力画面を生成して表示手段１１０を介して表示する。依存関係情報編集手段１０４は、ユーザから親メディアが「映像１」、子メディアが「なし」である旨（依存関係情報）を入力すると、入力した依存関係情報を構成要素オブジェクト設定手段１０３へ出力する（ステップＳＴ１０４）。
【０１０５】
構成要素オブジェクト設定手段１０３は、ユーザから依存関係情報編集手段１０４を介して、親メディアが「映像１」、子メディアが「なし」である旨を入力すると（ステップＳＴ１０５）、図８の構成要素オブジェクト５０９に示すように依存関係情報として「親：映像１」、「子：なし」を設定する（ステップＳＴ１０６）。
【０１０６】
上述した時刻同期情報編集手段１０５ａは、構成要素オブジェクト設定手段１０３において依存関係情報が設定されると、時刻同期情報の入力画面を生成して表示手段１１０を介して表示する（ステップＳＴ１０７）。時刻同期情報編集手段１０５ａは、ユーザから表示時刻が「１０秒」である旨（時刻同期情報）を入力すると、入力した時刻同期情報を構成要素オブジェクト設定手段１０３へ出力する。
【０１０７】
構成要素オブジェクト設定手段１０３は、時刻同期情報編集手段１０５ａを介して、表示時刻が「１０秒」である旨を入力すると（ステップＳＴ１０８）、構成要素オブジェクト５０９に時刻同期情報として「表示時刻：１０秒」を設定する（ステップＳＴ１０９）。
【０１０８】
構成要素オブジェクト設定手段１０３は、ユーザから設定終了指示を入力すると（ステップＳＴ１１３“ＹＥＳ”）、設定終了指示に従って依存関係情報、時刻同期情報の設定を終了し、生成した構成要素オブジェクト５０９を構成要素オブジェクト格納部１０７へ格納する（ステップＳＴ１１４）。
【０１０９】
オーサリング装置１００は、続いて、ユーザからの要求にしたがって構成要素オブジェクトの編集処理を開始し、構成要素オブジェクト格納部１０７に格納されている構成要素オブジェクトを指定するための指定用画面が構成要素オブジェクト呼出手段１０８から表示手段１１０へ出力される（上述した図４の“スタート”）。
【０１１０】
構成要素オブジェクト呼出手段１０８は、ユーザから構成要素オブジェクト３０６が指定されると（ステップＳＴ２０１）、構成要素オブジェクト格納部１０７から構成要素オブジェクト３０６を呼び出して取得し、構成要素オブジェクト設定手段１０３へ出力する（ステップＳＴ２０２）。
【０１１１】
構成要素オブジェクト設定手段１０３は、構成要素オブジェクト格納部１０７から構成要素オブジェクト呼出手段１０８を介して構成要素オブジェクト３０６を入力すると、設定済みのメディア情報「映像１」「映像」、依存関係情報「親：なし」「子：テキスト１」を表示手段１１０を介して選択可能に表示する。なお、このとき、構成要素オブジェクト３０６の時刻同期情報とプレゼンテーション情報は設定されていないため、空欄で表示される。
【０１１２】
依存関係情報編集手段１０４は、ユーザから構成要素オブジェクト設定手段１０３を介して依存関係情報が選択されると（ステップＳＴ２０３）、設定済みの依存関係情報の編集画面を表示手段１１０を介して表示する（ステップＳＴ２０４）。
【０１１３】
構成要素オブジェクト設定手段１０３は、ユーザから依存関係情報編集手段１０４を介して、子メディアがテキスト２である旨（依存関係情報）を入力すると（ステップＳＴ２０５）、構成要素オブジェクト３０６に含まれる設定済みの依存関係情報「親：なし」「子：テキスト１」に「子：テキスト２」を追加して設定する（ステップＳＴ２０６）。
【０１１４】
構成要素オブジェクト設定手段１０３は、ユーザから設定終了指示を入力すると（ステップＳＴ２１３“ＹＥＳ”）、設定終了指示に従ってメディア情報、依存関係情報、時刻同期情報、プレゼンテーション情報の編集設定を終了し、構成要素オブジェクト３０６を編集設定した後の構成要素オブジェクト５０７を構成要素オブジェクト格納部１０７へ格納する（ステップＳＴ２１４）。構成要素オブジェクト格納部１０７が構成要素オブジェクト５０７を格納すると、オーサリング装置１００は構成要素オブジェクトの編集、設定処理を終了する（エンド）。
【０１１５】
ここでは、構成要素オブジェクトを編集する際に、構成要素オブジェクト３０７，５０９の内容に変更が無いため説明を省略したが、編集する場合は上述した構成要素オブジェクト３０６と同様に構成要素オブジェクト３０７，５０９の編集を行い、編集済みの構成要素オブジェクト５０８，５０９を構成要素オブジェクト格納部１０７へ格納する。このようにして、構成要素オブジェクト格納部１０７には、図８に示すように構成要素オブジェクト５０７，５０８，５０９が再設定される。
【０１１６】
なお、構成要素オブジェクト５０８と構成要素オブジェクト５０９は、共に「映像１」３０３を親メディアとする依存関係であり、表示時刻が異なるだけであるため、構成要素オブジェクト３０７をコピーして編集し、構成要素オブジェクト５０９を設定するように構成しても良い。
【０１１７】
コピーして設定する場合、上述したステップＳＴ２０１からステップＳＴ２０３までの処理により構成要素オブジェクト３０７を呼び出してコピーし、コピーした構成要素オブジェクトのメディア情報「テキスト１」を「テキスト２」に変更し、時刻同期情報「表示時刻：５秒」を「表示時刻：１０秒」に変更して構成要素オブジェクト５０９を編集設定する。
【０１１８】
このように、構成要素オブジェクト５０９を生成すると共に、構成要素オブジェクト３０６を編集して構成要素オブジェクト５０７を再設定したすることにより、「映像１」３０３の表示開始から１０秒経過後に「テキスト２」５０６を表示させるという設定を容易に編集して追加することができる。
【０１１９】
次に、構成要素オブジェクト編集方法において、プレゼンテーション情報を編集して設定する一例について説明する。図９は、オーサリング装置１００における構成要素オブジェクト編集方法の一例を示している。なお、図９においては、上述した図８で編集、設定した構成要素オブジェクトを編集して追加設定するものであり、図８と同一の構成については同一の符号を用いて説明する。
【０１２０】
オーサリング装置１００は、ユーザ（外部）からの要求にしたがって構成要素オブジェクトの編集処理を開始し、構成要素オブジェクト格納部１０７に格納されている構成要素オブジェクトを指定するための指定用画面が構成要素オブジェクト呼出手段１０８から表示手段１１０へ出力される（上述した図４の“スタート”）。
【０１２１】
構成要素オブジェクト呼出手段１０８は、ユーザから構成要素オブジェクト５０７が指定されると（ステップＳＴ２０１）、構成要素オブジェクト格納部１０７から構成要素オブジェクト５０７を呼び出して取得し、構成要素オブジェクト設定手段１０３へ出力する（ステップＳＴ２０２）。
【０１２２】
構成要素オブジェクト設定手段１０３は、構成要素オブジェクト格納部１０７から構成要素オブジェクト呼出手段１０８を介して構成要素オブジェクト５０７を入力すると、設定済みのメディア情報「映像１」「映像」、依存関係情報「親：なし」「子：テキスト１」「子：テキスト２」、時刻同期情報「（空欄）」、プレゼンテーション情報「（空欄）」を表示手段１１０を介して選択可能に表示する。
【０１２３】
プレゼンテーション情報編集手段１０５ｂは、ユーザから構成要素オブジェクト設定手段１０３を介してプレゼンテーション情報が選択されると（ステップＳＴ２０３）、プレゼンテーション情報の編集画面を表示手段１１０を介して表示する（ステップＳＴ２１０）。この場合は、プレゼンテーション情報が設定されていないため、空欄として表示される。
【０１２４】
構成要素オブジェクト設定手段１０３は、ユーザからプレゼンテーション情報編集手段１０５ｂを介して、表示エリアがデジタルコンテンツ画面６０９上の「エリア１」６１０である旨を追加入力すると（ステップＳＴ２１１）、構成要素オブジェクト５０７に含まれるプレゼンテーション情報に「表示エリア：エリア１」を変更し、構成要素オブジェクト６０６として設定する（ステップＳＴ２１２）。
【０１２５】
構成要素オブジェクト設定手段１０３は、ユーザから設定終了指示を入力すると（ステップＳＴ２１３“ＹＥＳ”）、設定終了指示に従ってプレゼンテーション情報の編集設定を終了し、構成要素オブジェクト５０７を編集設定した後の構成要素オブジェクト６０６を構成要素オブジェクト格納部１０７へ格納する（ステップＳＴ２１４）。構成要素オブジェクト格納部１０７が構成要素オブジェクト６０６を格納すると、オーサリング装置１００は構成要素オブジェクト５０７の編集、設定処理を終了する（エンド）。
【０１２６】
オーサリング装置１００は、続いて、構成要素オブジェクト格納部１０７に格納されている構成要素オブジェクトを指定するための指定用画面が構成要素オブジェクト呼出手段１０８から表示手段１１０へ出力される（上述した図４の“スタート”）。
【０１２７】
構成要素オブジェクト呼出手段１０８は、ユーザから構成要素オブジェクト５０８が指定されると（ステップＳＴ２０１）、構成要素オブジェクト格納部１０７から構成要素オブジェクト５０８を呼び出して取得し、構成要素オブジェクト設定手段１０３へ出力する（ステップＳＴ２０２）。
【０１２８】
構成要素オブジェクト設定手段１０３は、構成要素オブジェクト格納部１０７から構成要素オブジェクト呼出手段１０８を介して構成要素オブジェクト５０８を入力すると、設定済みのメディア情報「テキスト１」「テキスト」、依存関係情報「親：映像１」「子：なし」、時刻同期情報「表示時刻：５秒」、プレゼンテーション情報「（空欄）」を表示手段１１０を介して選択可能に表示する。
【０１２９】
プレゼンテーション情報編集手段１０５ｂは、ユーザから構成要素オブジェクト設定手段１０３を介してプレゼンテーション情報が選択されると（ステップＳＴ２０３）、設定済みのプレゼンテーション情報の編集画面を表示手段１１０を介して表示する（ステップＳＴ２１０）。この場合は、プレゼンテーション情報が設定されていないため、空欄として表示される。
【０１３０】
構成要素オブジェクト設定手段１０３は、ユーザからプレゼンテーション情報編集手段１０５ｂを介して、表示エリアがデジタルコンテンツ画面６０９上の「エリア１」６１０と異なる領域の「エリア２」６１１である旨を追加入力すると（ステップＳＴ２１１）、構成要素オブジェクト５０８のプレゼンテーション情報に「表示エリア：エリア２」を追加する（ステップＳＴ２１２）。
【０１３１】
構成要素オブジェクト設定手段１０３は、ユーザから設定終了指示を入力すると（ステップＳＴ２１３“ＹＥＳ”）、設定終了指示に従ってプレゼンテーション情報の編集設定を終了し、構成要素オブジェクト５０８を編集設定した後の構成要素オブジェクト６０７を構成要素オブジェクト格納部１０７へ格納する（ステップＳＴ２１４）。構成要素オブジェクト格納部１０７が構成要素オブジェクト６０７を格納すると、オーサリング装置１００は構成要素オブジェクト５０８の編集、設定処理を終了する（エンド）。
【０１３２】
オーサリング装置１００は、続いて、構成要素オブジェクト格納部１０７に格納されている構成要素オブジェクトを指定するための指定用画面が構成要素オブジェクト呼出手段１０８から表示手段１１０へ出力される（上述した図４の“スタート”）。
【０１３３】
構成要素オブジェクト呼出手段１０８は、ユーザから構成要素オブジェクト５０９が指定されると（ステップＳＴ２０１）、構成要素オブジェクト格納部１０７から構成要素オブジェクト５０９を呼び出して取得し、構成要素オブジェクト設定手段１０３へ出力する（ステップＳＴ２０２）。
【０１３４】
構成要素オブジェクト設定手段１０３は、構成要素オブジェクト格納部１０７から構成要素オブジェクト呼出手段１０８を介して構成要素オブジェクト５０９を入力すると、設定済みのメディア情報「テキスト２」「テキスト」、依存関係情報「親：映像１」「子：なし」、時刻同期情報「表示時刻：１０秒」、プレゼンテーション情報「（空欄）」を表示手段１１０を介して選択可能に表示する。
【０１３５】
プレゼンテーション情報編集手段１０５ｂは、ユーザから構成要素オブジェクト設定手段１０３を介してプレゼンテーション情報が選択されると（ステップＳＴ２０３）、設定済みのプレゼンテーション情報の編集画面を表示手段１１０を介して表示する（ステップＳＴ２１０）。この場合は、プレゼンテーション情報が設定されていないため、空欄として表示される。
【０１３６】
構成要素オブジェクト設定手段１０３は、ユーザからプレゼンテーション情報編集手段１０５ｂを介して、表示エリアがデジタルコンテンツ画面６０９上の「エリア１」６１０と異なる領域の「エリア２」６１１である旨を追加入力すると（ステップＳＴ２１１）、構成要素オブジェクト５０９のプレゼンテーション情報に「表示エリア：エリア２」を追加する（ステップＳＴ２１２）。
【０１３７】
構成要素オブジェクト設定手段１０３は、ユーザから設定終了指示を入力すると（ステップＳＴ２１３“ＹＥＳ”）、設定終了指示に従ってプレゼンテーション情報の編集設定を終了し、構成要素オブジェクト５０９を編集設定した後の構成要素オブジェクト６０８を構成要素オブジェクト格納部１０７へ格納する（ステップＳＴ２１４）。構成要素オブジェクト格納部１０７が入力した構成要素オブジェクト６０８を格納すると、オーサリング装置１００は構成要素オブジェクト５０９の編集、設定処理を終了する（エンド）。
【０１３８】
なお、構成要素オブジェクト６０７と構成要素オブジェクト６０８は、共に「映像１」３０３を親メディアとする依存関係であり、表示エリアがデジタルコンテンツ画面６０９上の「エリア２」６１１であるため、構成要素オブジェクト６０７をコピーして編集し、構成要素オブジェクト６０８を設定するように構成しても良い。
【０１３９】
コピーして設定する場合、上述したステップＳＴ２０１からステップＳＴ２０３までの処理により構成要素オブジェクト６０７を呼び出してコピーし、コピーした構成要素オブジェクト６０７のメディア情報「テキスト１」を「テキスト２」に変更し、時刻同期情報「表示時刻：５秒」を「表示時刻：１０秒」に変更して構成要素オブジェクト６０８を編集設定する。
【０１４０】
このように、構成要素オブジェクトのプレゼンテーション情報を編集、設定することで、デジタルコンテンツは、「映像１」３０３の表示開始から５秒経過後に「テキスト１」３０５を表示させ、「映像１」３０３の表示開始から１０秒経過後に「テキスト２」５０６を表示させるよう設定される。したがって、構成要素オブジェクトを編集して複数設定しておくことにより、構成要素オブジェクトを選択して呼び出すだけでデジタルコンテンツを再構築、再編集することができる。
【０１４１】
なお、実施の形態１においては、構成要素オブジェクトの属性情報が時刻同期情報とプレゼンテーション情報の両方を含むように構成されているが、時刻同期情報とプレゼンテーション情報のいずれかを含むように構成しても良い。その場合、オーサリング装置１００は、時刻同期情報編集手段１０５ａ又はプレゼンテーション情報編集手段１０５ｂを含むように構成すれば良い。
【０１４２】
以上のように、実施の形態１のオーサリング装置１００は、複数のメディアデータを格納するメディアデータ格納部１０１と、メディアデータ格納部１０１からメディアデータを呼び出すメディアデータ呼出手段１０２と、複数のメディアデータ間の依存関係を示す依存関係情報を入力する依存関係情報編集手段１０４と、メディアデータ格納部１０１に格納されているメディアデータをデジタルコンテンツとして表示する際の表示条件としてメディアデータの表示時刻を示す時刻同期情報（表示条件）を入力する時刻同期情報編集手段１０５ａ（表示条件編集手段１０５）と、メディアデータ格納部１０１に格納されているメディアデータをデジタルコンテンツとして表示する際の表示条件としてメディアデータの表示方式と表示エリアを示すプレゼンテーション情報（表示条件）を入力するプレゼンテーション情報編集手段１０５ｂ（表示条件編集手段１０５）と、メディアデータ格納部１０１に格納されているメディアデータを識別するメディア情報２０１、依存関係情報編集手段１０４からの依存関係情報２０２、時刻同期情報編集手段１０５ａからの時刻同期情報２０３（表示条件）、及びプレゼンテーション情報編集手段１０５ｂからのプレゼンテーション情報２０４（表示条件）に基づき、メディアデータの属性情報を示す構成要素オブジェクト２００を生成する構成要素オブジェクト設定手段１０３と、構成要素オブジェクト設定手段１０３により生成された構成要素オブジェクト２００を格納する構成要素オブジェクト格納部１０７と、ユーザ（外部）からの指示に従い構成要素オブジェクト格納部１０７から構成要素オブジェクトを呼び出す構成要素オブジェクト呼出手段１０８と、メディアデータ格納部１０１に格納されているメディアデータと構成要素オブジェクト格納部１０７に格納されている構成要素オブジェクト２００に基づきデジタルコンテンツを構築するデジタルコンテンツ構築手段１０９とで構成したことにより、デジタルコンテンツの再構築・再編集を行う際に、ユーザが手作業で時刻同期情報とプレゼンテーション情報の設定を行うことなく、構成要素オブジェクトを呼び出すだけでデジタルコンテンツの再構築・再編集を行うことができる。その結果、デジタルコンテンツを再構築・再編集する際に作業負荷及び作業コストを低減することができるという効果が得られる。
【符号の説明】
【０１４３】
１００  オーサリング装置、１０１  メディアデータ格納部、１０２  メディアデータ呼出手段、１０３  構成要素オブジェクト設定手段、１０４  依存関係情報編集手段、１０５  表示条件編集手段、１０５ａ  時刻同期情報編集手段（表示条件編集手段）、１０５ｂ  プレゼンテーション情報編集手段（表示条件編集手段）、１０７  構成要素オブジェクト格納部、１０８  構成要素オブジェクト呼出手段、１０９  デジタルコンテンツ構築手段、１１０  表示手段、３０３  映像１、３０４  映像２、３０５  テキスト１、３０６，３０７，４０６，４０７，５０７〜５０９，６０６〜６０８  構成要素オブジェクト、５０６  テキスト２、４０８，６０９  デジタルコンテンツの画面、４０９，６１０  エリア１、４１０，６１１  エリア２。
【図１】
0005441794.tif 000002
【図２】
0005441794.tif 000003
【図３】
0005441794.tif 000004
【図４】
0005441794.tif 000005
【図５】
0005441794.tif 000006
【図６】
0005441794.tif 000007
【図７】
0005441794.tif 000008
【図８】
0005441794.tif 000009
【図９】
0005441794.tif 000010